(57)【要約】【課題】  患者情報テーブルの録画を容易に行うことができる超音波診断装置を提供する。【解決手段】  被検体Ｐに対して超音波の送受信を行う超音波プローブ１と、超音波プローブ１に対して超音波の送受信を行う送受信部２と、送受信部から受信した信号を処理して画像データを生成する信号処理部３と、信号処理部３で生成された画像データの記憶や患者テーブルを生成する画像データ生成部４と、被検体Ｐの患者情報を設定する操作部６と、画像データ生成部４により生成された被検体Ｐの患者情報テーブル及び画像データを録画再生するＶＣＲ７１の制御を行うシステム制御部８を有し、システム制御部８は、超音波撮影開始と共にＶＣＲ７１が画像データ生成部４において生成された被検体Ｐの患者情報テーブルを録画するように制御する。【選択図】  図１
2006094974.tif 000002
【特許請求の範囲】
【請求項１】
被検体の患者情報を入力する入力手段と、
前記被検体に対して超音波の送受信により超音波撮影を行う超音波撮影手段と、
前記入力手段により入力された患者情報と、前記超音波撮影手段により生成された前記被検体の画像データとを記録媒体に録画し、必要に応じて前記記録媒体から前記画像データを再生する録画再生制御手段とを有し、
前記超音波撮影手段による超音波撮影の開始と共に前記録画再生制御手段が前記被検体の前記患者情報を前記記録媒体に録画することを特徴とする超音波診断装置。
【請求項２】
前記録画再生制御手段は、前記患者情報の録画の前に前記患者情報をアクセスするインデックス信号を前記記録媒体に書込むことを特徴とする請求項１に記載の超音波診断装置。
【請求項３】
前記録画再生制御手段は、前記患者情報を前記記録媒体に所定時間録画した後、録画ポーズ状態になるようにしたことを特徴とする請求項１に記載の超音波診断装置。
【請求項４】
前記入力手段には、前記録画再生制御手段を前記録画ポーズ状態に変更する録画ポーズスイッチが設けられていることを特徴とする請求項４に記載の超音波診断装置。
【請求項５】
前記録画再生制御手段は前記患者情報を前記記録媒体に録画後、前記超音波撮影手段から得られる第１の画像データおよび第２の画像データを前記記録媒体に録画することを特徴とする請求項１に記載の超音波診断装置。
【請求項６】
前記入力手段には、前記患者情報を入力するための患者情報テーブルを表示部に表示する患者情報スイッチが設けられていることを特徴とする請求項１に記載の超音波診断装置。
【請求項７】
前記入力手段には、前記記録媒体に録画した前記画像データを再生するための操作タッチパネルが表示されることを特徴とする請求項１に記載の超音波診断装置。
【発明の詳細な説明】
【技術分野】
【０００１】
本発明は、超音波診断装置に係り、特に超音波撮影から得られた画像データを録画再生装置との間で録画再生を行う超音波診断装置に関する。
【背景技術】
【０００２】
超音波診断装置を用いて検査を行う場合、超音波撮影から得られた画像データが外部の録画再生装置の記録媒体に録画される。そして、記録媒体に録画された画像データは、再生することにより再診断、治療効果の確認、症例紹介等に利用される。
【０００３】
ところで、録画された複数の画像データの中から所望の画像データを再生するには、記録媒体上のどの位置に録画されているかがわかるように、予め録画再生装置に設けられるカウンタの値を記録することが行われていた。しかしながら、この方法では検査ごとに検査に対応したカウンタ値を記録しておかねばならないので面倒であった。また、カウンタ値を記録したものを紛失した場合、所望の画像データを再生するには、例えばＶＣＲ（Ｖｉｄｅｏ  Ｃａｓｓｅｔｔｅ  Ｒｅｃｏｒｄｅｒ）では早送り再生や、巻き戻し再生を頻繁に繰り返して、再生した画像データを再度画面に表示させて検索する必要があった。
【０００４】
そこで、超音波診断装置の操作者は、画像データの録画の前に患者情報を登録した患者情報の録画とカウンタ値の記録を行い、画像データの再生に当たってはカウンタ値と患者情報テーブルの録画位置を利用して検索し、検索された録画位置から画像データを再生するようにしている。
【０００５】
また、画像データの録画の際に画像データの患者情報に対応したアドレス信号を記録媒体に記録しておき、画像データの再生に当たって患者情報を入力することによりアドレス信号を検索した後、画像データを再生する超音波診断装置などもある（例えば、特許文献１参照。）。
【特許文献１】特開平３−２８９９４６号公報
【発明の開示】
【発明が解決しようとする課題】
【０００６】
しかしながら、操作者が検査ごとに手作業により患者情報の録画やカウンタ値の記録を行っていたので、作業が煩雑となるばかりか、患者情報の録画やカウンタ値の記録を忘れた場合には画像データの検索を困難なものにしていた。
【０００７】
また、患者情報テーブルに登録した患者情報から検索する場合、桁数が多い患者ＩＤなどでは入力ミスが生じやすく、実際に再生された画像データだけでは患者ＩＤの表示も小さく間違いを見落とすことがあった。
【０００８】
本発明は、上記問題点を解決するためになされたもので、患者情報の録画を容易に行い、簡単に患者情報を利用して画像データの検索を行うことができる超音波診断装置を提供することを目的とする。
【課題を解決するための手段】
【０００９】
上記問題を解決するために、請求項１に係る本発明の超音波診断装置は、被検体の患者情報を入力する入力手段と、前記被検体に対して超音波の送受信により超音波撮影を行う超音波撮影手段と、前記入力手段により入力された患者情報と、前記超音波撮影手段により生成された前記被検体の画像データとを記録媒体に録画し、必要に応じて前記記録媒体から前記画像データを再生する録画再生制御手段とを有し、前記超音波撮影手段による超音波撮影の開始と共に前記録画再生制御手段が前記被検体の前記患者情報を前記記録媒体に録画することを特徴とする。
【発明の効果】
【００１０】
本発明によれば、被検体の検査ごとの画像データの録画の前に、当該被検体の患者情報が録画されるので、録画された画像データの再生の際に、所望の画像データの検索が容易になり、迅速に再診断、治療効果の確認等を行うことができる。
【発明を実施するための最良の形態】
【００１１】
本発明の実施例を説明する。
【実施例】
【００１２】
以下、本発明の超音波診断装置の実施例を図１乃至図７を参照して説明する。
【００１３】
図１は、実施例の超音波診断装置の構成を示すブロック図である。この超音波診断装置１０は、被検体Ｐに対して超音波の送受信を行う超音波プローブ１と、超音波プローブ１に対して駆動信号の送信と反射信号の受信を行い、更に得られた受信信号を処理する送受信部２を備えている。
【００１４】
また、超音波診断装置１０は、送受信部２において処理された信号からＢモード画像データやカラードプラ画像データを生成する信号処理部３と、信号処理部３において生成されたＢモード画像データやカラードプラ画像データを記憶すると共に映像信号に変換する画像データ生成部４と、画像データ生成部４から受信したＢモード画像データ、カラードプラ画像データなどを表示する表示部５を備えている。
【００１５】
更に、超音波診断装置１０は、被検体Ｐの患者情報や各種コマンド信号を入力する操作部６と、当該超音波診断装置の外部の録画再生装置と画像データの送受信や外部の録画再生装置の制御を行うための制御信号の送信を行うインターフェース７と、これらのユニットを統括して制御するシステム制御部８を備えている。
【００１６】
なお、録画再生装置には、ＶＣＲ、ＤＶＤ（Ｄｉｇｉｔａｌ  Ｖｅｒｓａｔｉｌｅ  Ｄｉｓｃ）録再装置などがあり、本実施例ではＶＣＲ７１を例に説明する。
【００１７】
次に、各部の詳細について説明する。
【００１８】
超音波プローブ１は、被検体Ｐの表面に対してその前面を接触させ超音波の送受信を行うものであり、１次元に配列された複数個の圧電振動子をその先端部に有している。この圧電振動子は電気音響変換素子であり、送信時には電気パルス（駆動信号）を超音波パルス（送信超音波）に変換し、また受信時には超音波反射波（受信超音波）を電気信号（受信信号）に変換する機能を有している。そして、超音波画像の解像度や感度に大きな影響を与える超音波パルスの中心周波数は、この圧電素子の厚みによってほぼ決定される。
【００１９】
なお、超音波プローブ１は、セクタ走査対応、リニア走査対応、コンベックス走査対応等があり、これらの超音波プローブの中から診断部位に応じて任意に選択されるが、以下ではセクタ走査対応の超音波プローブ１を用いた場合について述べる。
【００２０】
送受信部２は、超音波プローブ１から送信超音波を発生するための軌道信号を生成する超音波送信部２１と、超音波プローブ１の圧電振動子から得られる複数チャンネルの受信信号に対して整相加算を行う超音波受信部２２を備えている。
【００２１】
信号処理部３は、送受信部２において整相加算された受信信号を処理してＢモード画像データの生成を行うＢモード信号処理部３１と、上記受信信号に対してカラードプラ画像データの生成を行なうカラードプラ信号処理部３２を備えている。
【００２２】
画像データ生成部４は、Ｂモード画像データ生成部３１から送信されるＢモード画像データ、カラードプラ画像データ生成部３３から送信されるＢモード画像データ、カラードプラ画像データなどの画像データを記憶すると共に、それらのデータを夫々映像信号に変換する。そして、変換された画像データは、画像データ生成部４から表示部５やインターフェース７へ送信される。また、画像データ生成部４は、患者情報を設定するための患者情報テーブルを作成し表示部５へ送信する。更に、患者情報が設定された患者情報テーブルは、インターフェース７を介してＶＣＲ７１へ送信される。
【００２３】
表示部５は、ＣＲＴや液晶パネルなどのカラーモニタを備え、画像データ生成部４から受信したＢモード画像データ、カラードプラ画像データなどの画像データや、患者情報テーブルを表示する。
【００２４】
次に、図２を参照して操作部６の構成について説明する。操作部６は、患者情報テーブルを表示部５に表示させるための患者情報スイッチ６１、超音波診断装置１０の検査の開始と終了を入力する検査スイッチ６２、ＶＣＲ７１における録画の一時停止や一時停止の解除を行う録画ポーズスイッチ６３等の各種スイッチ、ＶＣＲ７１に録画した画像データの検索、再生等の操作を行うタッチパネル６４、その他図示しないキーボード、マウスなど様々な入力デバイスを備え、患者名、患者ＩＤ、画像名、撮影部位等の入力、視野深度、超音波送受信周波数、画像の色調等の画像条件の設定、Ｂモード画像データ、カラードプラ画像データ等の画像データ収集モードの設定、録画再生などの操作が行われる。
【００２５】
検査情報スイッチ６２は、そのスイッチのＯＮ入力により患者情報テーブルに設定された患者情報の登録、患者情報テーブルのＶＣＲ７１への送信、及びＶＣＲ７１への患者情報テーブルの録画の指示を行う機能を有する。
【００２６】
また、検査スイッチ６２は、そのスイッチのＯＮ或いはＯＦＦ入力により送受信部２、信号処理部３、画像データ生成部４等の起動或いは停止、表示部５における画像データの表示或いは表示の停止を指示する機能を有する。
【００２７】
録画ポーズスイッチ６３は、検査スイッチ６２のＯＮ入力のＴ時間後にＯＮ状態になり、その後のＯＦＦ入力によって、画像データ生成部４からＶＣＲ７１への画像データの送信やＶＣＲ７１への画像データの録画の指示を行う機能を有する。また、録画ポーズスイッチ６３は、ＯＦＦ状態からのＯＮ入力により、ＶＣＲ７１への画像データ送信の停止やＶＣＲ７１への録画の一時停止の指示を行う機能を有する。
【００２８】
タッチパネル６４は、操作部６の操作により図７のＶＣＲ操作画面６５が表示され、ＶＣＲ操作画面６５からの入力操作により、ＶＣＲ７１に録画された患者情報テーブルの検索や画像データの再生の指示を行う機能を有する。
【００２９】
図1に戻り、インターフェース７は、ＶＣＲ７１を制御するための制御信号や、画像データ生成部４から受信した画像データなどをＶＣＲ７１に送信する。また、インターフェース７は、ＶＣＲ７１が再生した患者情報テーブルや画像データを受信し、表示部５へ送信する。
【００３０】
システム制御部８は、操作部６からの入力信号に基づいて送受信部２、信号処理部３、画像データ生成部４、表示部５、インターフェース７などの各ユニットの制御、システム全体の制御、更にはインターフェース７を介してＶＣＲ７１等の外部の録画再生装置の制御を統括して行う。
【００３１】
ＶＣＲ７１は、磁気テープ７２の画像記憶エリアに患者情報テーブル、画像データ等の検査データの録画及び再生を行う回転ヘッド７３、回転ヘッド７３の回転周期に対応したパルス信号及びアクセス信号制御のためのＶＩＳＳ（Ｖｉｄｅｏ  Ｉｎｄｅｘ  Ｓｅａｒｃｈ  Ｓｙｓｔｅｍ）信号の書込み及び読出しを行う固定ヘッド７４、磁気テープ７２の走行及び制御を行うテープ走行機構７５等を備え、システム制御部８からインターフェース７を介して送信される制御信号に基づき制御される。
【００３２】
そして、ＶＣＲ７１は、インターフェース７を介して受信した検査スイッチ６２のＯＮによる録画開始信号に基づき、磁気テープ７２の走行を開始し、磁気テープ７２の制御トラックに録画する患者情報テーブルをアクセスするためのＶＩＳＳ信号を書込むと共に、インターフェース７を介して受信した患者情報テーブルを磁気テープ７２の画像記憶エリアに録画する。更にＶＣＲ７１は、録画開始してからＴ時間後にインターフェース７を介してシステム制御部８から受信する録画一時停止信号に基づき、録画を一時停止する。
【００３３】
また、ＶＣＲ７１は、インターフェース７を介して受信した操作部６の録画ポーズスイッチ６３のＯＦＦ或いはＯＮによる入力信号に基づき、録画或いは録画の一時停止を行う。更に、ＶＣＲ７１は、インターフェース７を介して受信した操作部６の検査スイッチ６２のＯＦＦによる入力信号に基づき録画を終了する。
【００３４】
そして、超音波診断装置１０は、ＶＣＲ７１の画像データの再生に際し、タッチパネル６４からの操作により磁気テープ７２に書込まれたＶＩＳＳ信号をアクセスした後、表示部５にＴ時間再生表示される患者情報テーブルを検索して所望の画像データを得る。
【００３５】
図３は、患者情報を設定するための患者情報テーブルの一例を示した図である。この患者情報テーブル５１は、被検体の患者情報を設定する患者情報設定エリア５２と、被検体の検査に関する情報を設定する検査情報設定エリア５３を備えている。
【００３６】
患者情報設定エリア５２は、このエリア内の左側に「患者ＩＤ」、「患者名」、「生年月日」、「性別」、「身長」、「体重」等を表示した表示欄と、この表示欄の右側に表示欄の夫々に対応した四角枠の入力欄を備えている。
【００３７】
検査情報設定エリア５３は、このエリア内の左側に「検査タイプ」、「追加情報」、「操作者名」、「医師名」、「部門」等を表示した表示欄と、この表示欄の右側に表示欄の夫々に対応した四角枠の入力欄を備えている。
【００３８】
超音波診断装置１０の技師や医師等の操作者が、超音波診断装置１０を用いて検査を開始する前に、操作部６の患者情報スイッチ６１をＯＮすることにより表示部５に患者情報テーブル５１が表示される。
【００３９】
そして、操作者は、患者テーブル５１の四角枠に被検体の情報及び検査に関する情報等の患者情報を操作部６から入力した後、操作部６の検査スイッチ６２をＯＮすることにより、患者情報のＶＣＲ７１への登録と超音波撮影が行われ、検査を開始することができる。
【００４０】
次に、図１乃至図４を参照しては、実施例の超音波診断装置の動作の説明をする。図４は、超音波診断装置１０の操作者が、当該装置を用いて被検体Ｐの検査を行う場合の録画の手順を示したフローチャートである。このフローチャートは、左側に操作者による操作ステップ、中央に操作者の操作により動作する超音波診断装置１０の動作ステップ、右側に超音波診断装置１０の制御により動作するＶＣＲ７１の動作ステップを示している。
【００４１】
まず、操作部６の患者情報スイッチ６１をＯＮすることにより（ステップＳ１０１）、超音波診断装置１０の動作が開始され（ステップＳ１）、表示部５に患者情報テーブル５１が表示される（ステップＳ２）。
【００４２】
そして、操作部６から患者情報テーブル５１の夫々の四角枠に被検体Ｐの患者情報を設定した後（ステップＳ１０２）、操作部６の検査スイッチ６２をＯＮすることにより（ステップＳ１０３）、システム制御部８はインターフェース７を介してＶＣＲ７１へ録画開始信号を送信する（ステップＳ３）。
【００４３】
ＶＣＲ７１は、インターフェース７を介してシステム制御部８から受信した録画開始信号に基づき磁気テープ７２の走行を開始し、磁気テープ７２にＶＩＳＳ信号を書き込む（ステップＳ３１）。
【００４４】
システム制御部８は、操作部６から患者情報テーブル５１に従い入力された被検体Ｐの患者情報を画像データ生成部４へ送信する。そして、画像データ生成部４は、被検体Ｐの患者情報を設定した患者情報テーブル５１を作成した後、インターフェース７を介して録画開始信号の送信とほぼ同じタイミングでＶＣＲ７１へ送信する（ステップＳ４）。
【００４５】
これによりＶＣＲ７１は、インターフェース７を介して画像データ生成部４から受信した患者情報テーブル５１を磁気テープ７２の画像記憶エリアに録画する（ステップＳ３２）。
【００４６】
次に、システム制御部８は、検査スイッチ６２がＯＮになって録画開始信号の発信からＴ時間後に、インターフェース７を介して録画一時停止信号をＶＣＲ７１に送信すると共に（ステップＳ５）、画像データ生成部４にＶＣＲ７１への患者情報テーブル５１の送信の停止の指示をする。
【００４７】
これによりＶＣＲ７１は、インターフェース７を介して画像データ生成部４から受信した患者情報テーブル５１を磁気テープ７２の画像記憶エリアにＴ時間録画した後（ステップＳ３２）、インターフェース７を介してシステム制御部８から受信した録画一時停止信号に基づき録画を一時停止する（ステップＳ３３）。
【００４８】
次いで、被検体Ｐの患部に超音波プローブ１を接触させ操作部６から例えばＢモード画像の画像条件の調整のための入力を行うことにより（ステップＳ１０４）、超音波受信部２２から得た信号をＢモード信号処理部３１がＢモード画像データに生成し、そして画像データ生成部４は調整後のＢモード画像データを表示部５へ送信する。表示部５は、画像データ生成部４から受信したＢモード画像データを表示する（ステップＳ６）。そして、操作者は、表示部５に表示されたＢモード画像を確認した後、録画ポーズスイッチ６３をＯＦＦする（ステップＳ１０５）。
【００４９】
図５（ａ）は、録画ポーズスイッチ６３のＯＦＦ後に、表示部５の画面５５に表示されたＢモード画像５６を示した図である。
【００５０】
図４に戻り、インターフェース７は、録画ポーズスイッチ６３のＯＦＦ入力によるシステム制御部８からの指示に基づき、ＶＣＲ７１へ録画一時停止解除信号と共に、画像データ生成部４から受信したＢモード画像データをＶＣＲ７１へ送信する（ステップＳ７）。
【００５１】
ＶＣＲ７１は、インターフェース７から受信した録画一時停止解除信号に基づき、一時停止していた録画を再開し、Ｂモード画像５６と同様のＢモード画像データを磁気テープ７２の画像記憶エリアに録画する（ステップＳ３４）。
【００５２】
次いで、Ｂモード画像データの録画を終え、録画ポーズスイッチ６３をＯＮすることにより（ステップＳ１０６）、インターフェース７は録画ポーズスイッチ６３のＯＮ入力によるシステム制御部８からの指示に基づき、ＶＣＲ７１へ録画一時停止信号を送信すると共に、ＶＣＲ７１へのＢモード画像データの送信を停止する（ステップＳ８）。
【００５３】
ＶＣＲ７１は、インターフェース７から受信した録画一時停止信号に基づき、Ｂモード画像データの録画を一時停止する（ステップＳ３５）。
【００５４】
次いで、操作者が、操作部６から画像モードを例えばカラードプラ画像へ変更するための入力を行うことにより（ステップＳ１０７）、超音波受信部２２から得た信号をカラードプラ信号処理部３２がカラードプラ画像データに生成し、そして画像データ生成部４はカラードプラ画像データを表示部５へ送信する。表示部５は、カラードプラ画像データを表示する（ステップＳ９）。そして、操作者は、表示部５に表示されたカラードプラ画像を確認した後、録画ポーズスイッチ６３をＯＦＦする（ステップＳ１０８）。
【００５５】
図５（ｂ）は、録画ポーズスイッチ６３のＯＦＦ後に、表示部５の画面５７に表示されたカラードプラ画像５８を示した図である。
【００５６】
図４に戻り、インターフェース７は、録画ポーズスイッチ６３のＯＦＦ入力によるシステム制御部８からの指示に基づき、ＶＣＲ７１へ録画一時停止解除信号を送信すると共に、画像データ生成部４から受信したカラードプラ画像データを送信する（ステップＳ１０）。
【００５７】
ＶＣＲ７１は、インターフェース７から受信した録画一時停止解除信号に基づき、一時停止していた録画を再開し、カラードプラ画像５８と同様のカラードプラ画像データを磁気テープ７２の画像記憶エリアに録画する（ステップＳ３６）。
【００５８】
次いで、操作者が被検体Ｐの検査を終了した時点で検査スイッチ６２をＯＦＦする（ステップＳ１０９）。インターフェース７は、検査スイッチ６２のＯＦＦ入力によるシステム制御部８からの指示に基づき、ＶＣＲ７１へ録画終了信号を送信すると共に、ＶＣＲ７１へのカラードプラ画像データの送信を停止する（ステップＳ１１）。そして、ＶＣＲ７１は、インターフェース７から受信した録画終了信号に基づき、磁気テープ７２の画像記憶エリアへの録画を終了する（ステップＳ３７）。
【００５９】
また、送受信部２、信号処理部３、画像データ生成部４、及び表示部５は、検査スイッチ６２のＯＦＦ入力によるシステム制御部８からの指示に基づきそれらの動作を終了する（ステップＳ１２）。
【００６０】
図６は、図４の録画手順により磁気テープ７２に録画されたＢモード画像データ及びカラードプラ画像データ等の検査データの一例を示した図である。
【００６１】
磁気テープ７２の制御トラックのＶＩＳＳ信号領域７２ａには、被検体Ｐの患者情報テーブルのアクセスを行うためのＶＩＳＳ信号が書き込まれている。また、磁気テープ７２の画像記憶エリアにおける患者情報テーブル領域７２ｂ、Ｂモード画像データ領域７２ｃ、及びカラードプラ画像データ領域７２ｄには、被検体Ｐの患者情報テーブル、Ｂモード画像データ、及びカラードプラ画像データが録画されている。
【００６２】
また、磁気テープ７２の制御トラックのＶＩＳＳ信号領域７２ｅには、被検体Ｐの次の患者情報テーブルのアクセスのためのＶＩＳＳ信号が書込まれ、磁気テープ７２の画像記憶エリアの患者情報テーブル領域７２ｆには、被検体Ｐの次の患者情報テーブルが録画されている。
【００６３】
更に、磁気テープ７２の左側に示した各スイッチのＯＮ或いはＯＦＦは、図４の録画手順で操作者が操作部６から入力したタイミング示している。
【００６４】
以下に、被検体Ｐの検査データの録画タイミングと各スイッチのＯＮ或いはＯＦＦの入力タイミングを図４の手順に対応させて説明する。
【００６５】
ステップＳ１０３では、ＶＣＲ７１の磁気テープ７２は、検査スイッチ６２の検査スイッチＯＮ７２−１の入力による録画開始信号に基づき、矢印の走行方向Ｌへ走行を開始すると共に、ＶＩＳＳ信号が固定ヘッド７４により磁気テープ７２のＶＩＳＳ信号領域７２ａに書込まれる（ステップＳ３１）。また、画像データ生成部４からの被検体Ｐの患者情報テーブルが回転ヘッド７３により磁気テープ７２の患者情報テーブル領域７２ｂに書き込まれる（ステップＳ３２）。
【００６６】
ＶＣＲ７１は、システム制御部８からの録画一時停止信号（検査スイッチＯＮのＴ時間後に録画ポーズスイッチＯＮ７２−２）に基づき録画を一時停止する（ステップＳ３３）。
【００６７】
ステップＳ１０５では、ＶＣＲ７１の磁気テープ７２は、録画ポーズスイッチ６３の録画ポーズスイッチＯＦＦ７２−３の入力による録画開始信号に基づき、矢印の走行方向Ｌへ走行を開始し、Ｂモード画像データが回転ヘッド７３により磁気テープ７２のＢモード画像データ領域７２ｃに録画される（ステップＳ３４）。
【００６８】
ステップＳ１０６では、ＶＣＲ７１は、録画ポーズスイッチ６３の録画ポーズスイッチＯＮ７２−４の入力による録画一時停止信号に基づき、Ｂモード画像データの録画を一時停止する（ステップＳ３５）。
【００６９】
ステップＳ１０８では、ＶＣＲ７１の磁気テープ７２は、録画ポーズスイッチ６３の録画ポーズスイッチＯＦＦ７２−５の入力による録画開始信号に基づき、矢印の走行方向Ｌへ走行を開始し、カラードプラ画像データが回転ヘッド７３により磁気テープ７２のカラードプラ画像データ領域７２ｄに録画される（ステップＳ３６）。
【００７０】
ステップＳ１０９では、ＶＣＲ７１は、検査スイッチ６２の検査スイッチＯＦＦ７２−６の入力による録画終了信号に基づき、被検体Ｐの録画を終了する（ステップＳ３７）。
【００７１】
図７は、ＶＣＲ７１に録画された画像データの再生操作を行う操作部６のタッチパネル６４に表示されるＶＣＲ操作画面の一例を示した図である。
【００７２】
このＶＣＲ操作画面６５は、磁気テープ７２に書込まれたＶＩＳＳ信号を利用して録画された患者情報テーブルのアクセスを行うためのＶＩＳＳスイッチ６５−１、磁気テープ７２の早送りを行う早送りスイッチ６５−２、磁気テープ７２の巻戻しを行う巻戻しスイッチ６５−３、検査データの再生を行う再生スイッチ６５−４等の各種スイッチを備え、操作部６のタッチパネル６４に表示される。
【００７３】
操作者がＶＣＲ操作画面６５のＶＩＳＳスイッチ６５−１を押した後、早送りスイッチ６５−２を押すことにより、ＶＣＲ７１は、磁気テープ７２を走行方向Ｌに早送りする。そして、固定ヘッド７４がＶＩＳＳ信号を検出した位置から走行方向ＬにＴ時間患者情報テーブルを再生し、再生された患者情報テーブルは表示部５に表示される。また、ＶＣＲ７１は、Ｔ時間患者情報の再生をした後、再び磁気テープ７２を走行方向Ｌに早送りし、同様の動作を繰り返す。
【００７４】
そして、操作者が表示部５に表示された患者情報テーブルを確認し、被検体Ｐの患者情報テーブルが表示部５に表示された時点で再生スイッチ６５−４を押すことにより、ＶＣＲ７１の回転ヘッド７３は磁気テープ７２のＢモード画像データ領域７２ｃのＢモード画像データを再生し、表示部５に画面５５（図５（ａ）参照）のＢモード画像５６が再生表示される。
【００７５】
そして、引き続きＶＣＲ７１の回転ヘッド７３により磁気テープ７２のカラードプラ画像データ領域７２ｄのカラードプラ画像データが再生され、表示部５に画面５７（図５（ｂ）参照）のカラードプラ画像５８が再生表示される。
【００７６】
以上述べた本発明の実施例によれば、検査開始スイッチをＯＮすることにより、超音波撮影の開始と共に患者情報テーブルの録画が行われるので、画像データの録画の前に必ず患者情報テーブルが録画される。そして、録画された画像データを検索する場合、ＶＣＲの早送り操作により患者情報テーブルの録画と同じタイミングで書込まれたＶＩＳＳ信号を検出し、その位置から直ちに患者情報テーブルを所定時間再生表示させて確認することができるので、所望の被検体の画像データの検索が正確に且つ迅速になり、素早く再診断、治療効果の確認等を行うことができる。
【００７７】
なお、本発明は上記実施例に限定されるものではなく、検査ごとに超音波撮影の必要がない場合、例えば録画開始及び終了機能を検査スイッチとは別に録画スイッチに設け、検査スイッチＯＮ以降の録画スイッチＯＮの際に、録画再生装置にその検査の開始時に登録された患者情報テーブルの録画とＶＩＳＳ信号等のアクセス信号の書込みを行わせた後、録画ポーズ状態にさせることにより、録画の必要に応じて画像データの録画の前に患者情報テーブルの録画を行うことができる。
【図面の簡単な説明】
【００７８】
【図１】本発明の実施例に係る超音波診断装置の構成を示すブロック図。
【図２】本発明の実施例に係る操作部の一例を示す図。
【図３】本発明の実施例に係る患者テーブルの一例を示す図。
【図４】本発明の実施例に係る検査データの録画の手順を示すフローチャート。
【図５】本発明の実施例に係る画像の一例を示す図。
【図６】本発明の実施例に係る磁気テープに録画された検査データの一例を示す図。
【図７】本発明の実施例に係るＶＣＲ操作画面の一例を示す図。
【符号の説明】
【００７９】
Ｐ  被検体
１  超音波プローブ
２  送受信部
３  信号処理部
４  画像データ生成部
５  表示部
６  操作部
７  インターフェース
８  システム制御部
１０  超音波診断装置
７１  ＶＣＲ
【図１】
2006094974.tif 000003
【図２】
2006094974.tif 000004
【図３】
2006094974.tif 000005
【図４】
2006094974.tif 000006
【図５】
2006094974.tif 000007
【図６】
2006094974.tif 000008
【図７】
2006094974.tif 000009